(57)【要約】【課題】電波強度や感度を絞ることなく、また煩わしい操作を要することなく、所望距離の範囲にある端末装置の端末情報を取得する。【解決手段】画像形成装置１００では、宛先設定画面で「Ｂｌｕｅｔｏｏｔｈ（登録商標）でアドレス取得」ボタン４０１が押下されると表示される距離設定画面において「近くから取得」ボタン４０２または「遠くまで取得」ボタン４０３のいずれが押下されたかによって設定距離Ｄを設定し、設定距離Ｄ及び出力電波強度Ｐの情報を含んだ検索要求情報を発信する。検索要求を受信した携帯端末３００では、電波強度を測定し、測定電波強度ＲＳＳＩと出力電波強度Ｐとから伝搬損失Ｌを計算し、伝搬損失Ｌから測定距離ｄを算出する。測定距離ｄが設定距離Ｄより短い場合に、携帯端末３００と画像形成装置１００との近距離無線通信の接続が確立され、メールアドレスが画像形成装置１００に送信される。【選択図】    図５
2016052040.tif 000002
【特許請求の範囲】
【請求項１】
端末装置から近距離無線通信を通じて端末情報を取得する端末情報取得装置を含む端末情報取得システムであって、
前記端末情報取得装置は、
前記端末情報を取得する範囲を示す距離を設定する設定手段と、
前記設定手段により設定された距離の情報と出力電波強度の情報とを含んだ検索要求を外部へ発信する発信手段と、
近距離無線通信の接続が確立した端末装置から端末情報を取得する取得手段と、を有し、
さらに、前記端末情報取得システムは、
前記発信手段により発信された検索要求を電波として受信した端末装置において、受信された電波の強度を測定する測定手段と、
前記端末装置において、前記測定手段により測定された電波の強度と前記検索要求に含まれる前記出力電波強度とに基づいて、前記端末装置から前記端末情報取得装置までの距離を推定する推定手段と、
前記端末装置において、前記推定手段により推定された距離が前記検索要求に含まれる距離より短い場合に、前記端末情報取得装置との近距離無線通信の接続を確立し、前記端末装置の端末情報を前記端末情報取得装置に送信する送信手段と、
を有することを特徴とする端末情報取得システム。
【請求項２】
出力電波強度の情報を含んだパケット情報を送信する機能を有する端末装置から近距離無線通信を通じて端末情報を取得する端末情報取得装置であって、
前記端末情報を取得する範囲を示す距離を設定する設定手段と、
前記端末装置から前記パケット情報を受信する受信手段と、
前記受信手段により電波として受信された前記パケット情報の電波の強度を測定する測定手段と、
前記測定手段により測定された電波の強度と前記パケット情報に含まれる前記出力電波強度とに基づいて、前記情報取得装置から前記端末装置までの距離を推定する推定手段と、
前記推定手段により推定された距離が前記設定手段により設定された距離より短い場合に、前記端末装置との近距離無線通信の接続を確立し、前記端末情報から前記端末情報を取得する取得手段と、
を有することを特徴とする端末情報取得装置。
【請求項３】
端末装置を特定するための固有情報と出力電波強度の情報とを含んだパケット情報を送信する機能を有する端末装置から近距離無線通信を通じて端末情報を取得する端末情報取得装置であって、
前記端末情報を取得する範囲を示す距離を設定する設定手段と、
前記端末装置から前記パケット情報を受信する受信手段と、
前記受信手段により電波として受信された前記パケット情報の電波の強度を測定する測定手段と、
前記測定手段により測定された電波の強度と前記パケット情報に含まれる前記出力電波強度とに基づいて、前記端末情報取得装置から前記端末装置までの距離を推定する推定手段と、
前記推定手段により推定された距離が前記設定手段により設定された距離より短い場合に、固有情報と端末情報とが対応付けられて保持手段に保持された登録情報を参照し、前記パケット情報に含まれる固有情報に対応する端末情報を前記登録情報から取得する取得手段と、
を有することを特徴とする端末情報取得装置。
【請求項４】
端末装置から近距離無線通信を通じて端末情報を取得する端末情報取得装置を含む端末情報取得システムにおける端末情報取得方法であって、
前記端末情報を取得する範囲を示す距離を設定する設定工程と、
前記設定工程により設定された距離の情報と出力電波強度の情報とを含んだ検索要求を前記端末情報取得装置から外部へ発信する発信工程と、
前記発信工程により発信された検索要求を電波として端末装置が受信した際の電波の強度を測定する測定工程と、
前記測定工程により測定された電波の強度と前記検索要求に含まれる前記出力電波強度とに基づいて、前記端末装置から前記端末情報取得装置までの距離を推定する推定工程と、
前記推定工程により推定された距離が前記検索要求に含まれる距離より短い場合に、前記端末装置と前記端末情報取得装置との近距離無線通信の接続を確立し、前記端末装置の端末情報を前記端末情報取得装置に送信する送信工程と、
前記送信工程で送信された端末情報を前記端末情報取得装置が取得する取得工程と、
を有することを特徴とする端末情報取得システムにおける端末情報取得方法。
【請求項５】
出力電波強度の情報を含んだパケット情報を送信する機能を有する端末装置から近距離無線通信を通じて端末情報を取得する端末情報取得方法であって、
前記端末情報を取得する範囲を示す距離を設定する設定工程と、
前記端末装置から前記パケット情報を受信する受信工程と、
前記受信工程により電波として受信された前記パケット情報の電波の強度を測定する測定工程と、
前記測定工程により測定された電波の強度と前記パケット情報に含まれる前記出力電波強度とに基づいて、前記端末情報取得装置から前記端末装置までの距離を推定する推定工程と、
前記推定工程により推定された距離が前記設定工程により設定された距離より短い場合に、前記端末装置との近距離無線通信の接続を確立し、前記端末情報から前記端末情報を取得する取得工程と、
を有することを特徴とする端末情報取得方法。
【請求項６】
端末装置を特定するための固有情報と出力電波強度の情報とを含んだパケット情報を送信する機能を有する端末装置から近距離無線通信を通じて端末情報を取得する端末情報取得方法であって、
前記端末情報を取得する範囲を示す距離を設定する設定工程と、
前記端末装置から前記パケット情報を受信する受信工程と、
前記受信工程により電波として受信された前記パケット情報の電波の強度を測定する測定工程と、
前記測定工程により測定された電波の強度と前記パケット情報に含まれる前記出力電波強度とに基づいて、前記端末情報取得装置から前記端末装置までの距離を推定する推定工程と、
前記推定工程により推定された距離が前記設定工程により設定された距離より短い場合に、固有情報と端末情報とが対応付けられて保持手段に保持された登録情報を参照し、前記パケット情報に含まれる固有情報に対応する端末情報を前記登録情報から取得する取得工程と、
を有することを特徴とする端末情報取得方法。
【請求項７】
前記近距離無線通信は、Ｂｌｕｅｔｏｏｔｈ（登録商標）であることを特徴とする請求項１に記載の端末情報取得システム。
【請求項８】
前記近距離無線通信は、Ｂｌｕｅｔｏｏｔｈ（登録商標）であることを特徴とする請求項２または３に記載の端末情報取得装置。
【請求項９】
前記端末情報は、メールアドレスであるであることを特徴とする請求項１に記載の端末情報取得システム。
【請求項１０】
前記端末情報は、メールアドレスであるであることを特徴とする請求項２または３に記載の端末情報取得装置。
【請求項１１】
請求項２または３に記載の端末情報取得装置を有する画像形成装置であって、前記取得した端末情報を宛先として画像を送信することを特徴とする画像形成装置。
【発明の詳細な説明】
【技術分野】
【０００１】
本発明は、端末装置から近距離無線通信を通じて端末情報を取得する技術に関する。
【背景技術】
【０００２】
近年、無線通信可能な情報処理装置の発展は目覚しく、電話機能以外にも様々な機能を有する端末装置が提案されている。このような端末装置で携帯型のもの（以下、携帯端末と称する）には、様々なフォーマットの文書を表示する機能などを搭載したものがある。例えば、ある種の携帯端末は、メール送受信機能、Ｗｅｂブラウズ機能、ＰＤＦ文書や、Ｗｏｒｄ（登録商標）文書やＰｏｗｅｒ・Ｐｏｉｎｔ（登録商標）文書などの文書を表示できる。このような携帯端末の高機能化・高性能化に伴い、画像形成装置にて読み取りを行った画像データを携帯端末で受信し閲覧したい場合がある。
【０００３】
前述したように携帯端末はメールの送受信が可能である。そのため、画像形成装置にて携帯端末のメールアドレスを入力し、メールにデータを添付して送信することで、携帯端末ではデータの受信が可能である。しかし、画像形成装置においてアドレス帳に登録がないメールアドレスについては手動で入力する必要があり、またアドレス帳に登録があるメールアドレスであっても多数の登録アドレスの中から所望のアドレスを探し出すのには手間がかかる。さらに複数の端末に対し読み取りデータを同時に送信したい場合、同様の処理を端末数分行う必要があるため更に手間がかかる。
【０００４】
また、近年、携帯端末としてのスマートフォンやタブレット機器の多くには、近距離無線通信機能が搭載されている。近距離無線通信機能には、例えば、ＮＦＣ（Ｎｅａｒ  Ｆｉｅｌｄ  Ｃｏｍｍｕｎｉｃａｔｉｏｎ）やＺｉｇＢｅｅ（登録商標）等、多くの通信規格がある。その中でもＢｌｕｅｔｏｏｔｈ（登録商標）は、ｉＰｈｏｎｅ（登録商標）やＡｎｄｒｏｉｄ（登録商標）携帯ともに通信機能が実装されている。このＢｌｕｅｔｏｏｔｈ（登録商標）による無線通信を用いて通信を行うことで、画像形成装置の通信範囲内に存在する携帯端末から自動的にメールアドレスを取得することが可能となる。これにより前述したメールアドレスの入力に手間がかかるという問題が解決される。しかし、画像形成装置の通信範囲内の携帯端末のメールアドレスを自動的に取得する際に、通信の対象となり得る携帯端末が多数存在する場合がある。この場合、多数の携帯端末の中からアドレスを取得したい端末を特定する必要があり、操作が煩わしいという問題がある。
【０００５】
この問題を解決するため、通信対象の端末の電波強度を測定し、その電波強度が閾値以上であるか否かを判断して通信対象を特定する方法がある。また、通信電波強度の出力を下げて近くの端末しか通信電波を拾えないようにすることで通信相手を絞る方法等がある（特許文献１）。
【先行技術文献】
【特許文献】
【０００６】
【特許文献１】特開２００１−１５６７０４号公報
【発明の概要】
【発明が解決しようとする課題】
【０００７】
しかしながら、特許文献１の技術のように、受信した電波強度の強弱で端末を絞る方法で通信端末を制限する場合、対象としたい携帯端末の出力電波強度がもともと弱い場合には通信が行えないケースが発生してしまう。また、出力電波強度を下げる方法で通信端末を制限する場合、電波の届く近い距離に位置する端末に通信対象を絞ることは可能であるが、例えば、所望の距離内にいる端末のみに通信を絞るようなことは困難である。
【０００８】
本発明は上記従来技術の問題を解決するためになされたものであり、その目的は、電波強度や感度を絞ることなく、また煩わしい操作を要することなく、所望距離の範囲にある端末装置の端末情報を取得することにある。
【課題を解決するための手段】
【０００９】
上記目的を達成するために本発明は、端末装置から近距離無線通信を通じて端末情報を取得する端末情報取得装置を含む端末情報取得システムであって、前記端末情報取得装置は、前記端末情報を取得する範囲を示す距離を設定する設定手段と、前記設定手段により設定された距離の情報と出力電波強度の情報とを含んだ検索要求を外部へ発信する発信手段と、近距離無線通信の接続が確立した端末装置から端末情報を取得する取得手段と、を有し、さらに、前記端末情報取得システムは、前記発信手段により発信された検索要求を電波として受信した端末装置において、受信された電波の強度を測定する測定手段と、前記端末装置において、前記測定手段により測定された電波の強度と前記検索要求に含まれる前記出力電波強度とに基づいて、前記端末装置から前記端末情報取得装置までの距離を推定する推定手段と、前記端末装置において、前記推定手段により推定された距離が前記検索要求に含まれる距離より短い場合に、前記端末情報取得装置との近距離無線通信の接続を確立し、前記端末装置の端末情報を前記端末情報取得装置に送信する送信手段と、を有することを特徴とする。
【発明の効果】
【００１０】
本発明によれば、電波強度や感度を絞ることなく、また煩わしい操作を要することなく、所望距離の範囲にある端末装置の端末情報を取得することができる。
【図面の簡単な説明】
【００１１】
【図１】端末情報取得装置と通信端末装置とで構成される端末情報取得システムの構成を示す図である。
【図２】画像形成装置の構成を示すブロック図である。
【図３】近距離無線通信機能を実装した携帯端末の構成を示すブロック図である。
【図４】ＳＥＮＤ機能を使用する際の画面表示の遷移図（図（ａ）〜図（ｄ））である。
【図５】画像形成装置と携帯端末とにおいて並行して実行されるスキャンデータ送受信の処理を示すフローチャートである。
【図６】距離測定処理を示すフローチャートである。
【図７】画像形成装置において実行されるスキャンデータ送信処理を示すフローチャートである。
【図８】画像形成装置と携帯端末とにおいて並行して実行されるスキャンデータ送受信の処理を示すフローチャートである。
【図９】画像形成装置と携帯端末とにおいて並行して実行されるスキャンデータ送受信の処理を示すフローチャートである。
【図１０】登録テーブルの例を示す図である。
【発明を実施するための形態】
【００１２】
以下、本発明の実施の形態を図面を参照して説明する。
【００１３】
（第１の実施の形態）
図１は、本発明の第１の実施の形態に係る端末情報取得装置と通信端末装置とで構成される端末情報取得システムの構成を示す図である。
【００１４】
本実施の形態では、端末情報取得装置として画像形成装置１００を例示し、通信端末装置としてスマートフォン等の携帯端末３００を例示する。画像形成装置１００と携帯端末３００とは、近距離無線通信にて通信可能であり、近距離無線通信を通じて携帯端末３００の端末情報の一例であるメールアドレスを画像形成装置１００が取得する。画像形成装置１００は、複数の携帯端末３００と同時に通信することもあり得る。なお、近距離無線通信による情報通信を行うことが可能な機器であれば様々な機器に本発明を適用可能である。従って、端末情報取得装置は画像形成装置１００に限定されず、端末装置は携帯端末３００に限定されるものではない。
【００１５】
本実施の形態では特に、携帯端末３００において画像形成装置１００と携帯端末３００との距離を推定し、設定した距離の範囲にある携帯端末３００の中からメールアドレスの取得対象とする携帯端末３００を決定する手法を説明する。
【００１６】
まず、画像形成装置１００のハードウェア構成について説明する。図１に示すように、画像形成装置１００は、主要部としてスキャナ１０１、プリンタ１０２及び操作ユニット１０３を有する。スキャナ１０１は、照明ランプの発光によって原稿上の画像を露光走査して得られた反射光をリニアイメージセンサ（ＣＣＤセンサ）に入力することで、画像の情報を電気信号に変換する。スキャナ１０１はさらに、電気信号をＲ、Ｇ、Ｂ各色からなる輝度信号に変換し、当該輝度信号を画像データとして後述するコントローラ２００（図２）に出力する。
【００１７】
原稿は、原稿フィーダ１０５のトレイ１０４にセットされる。ユーザが操作ユニット１０３から読み取り開始を指示すると、コントローラ２００は、スキャナ１０１に対して原稿読み取り指示を送る。スキャナ１０１は、この指示を受けとると原稿フィーダ１０５のトレイ１０４から原稿を１枚ずつフィードして原稿の読み取り動作を行う。また、スキャナ１０１は、原稿台ガラス１１０上に置かれた原稿を読み取ることもできる。プリンタ１０２は、コントローラ２００から受け取った画像データを用紙上に形成する画像形成デバイスである。またプリンタ１０２は、異なる用紙サイズまたは異なる用紙向きに対応可能な複数の用紙カセット１０７、１０８、１０９を備える。排紙トレイ１０６には印字後の用紙が排出される。
【００１８】
図２は、画像形成装置１００の構成を示すブロック図である。コントローラ２００は、画像入力デバイスであるスキャナ１０１、画像出力デバイスであるプリンタ１０２、ＬＡＮ１０、公衆回線（ＷＡＮ）１２と接続され、画像形成装置１００の動作を統括的に制御すると共に画像情報やデバイス情報の入出力制御を行う。
【００１９】
コントローラ２００が有するＣＰＵ２０１は、画像形成装置１００全体を制御するプロセッサであり、ＲＯＭ２０２に記憶された制御プログラム等に基づいて、接続中の各種デバイスとのアクセスを統括的に制御する。さらに、ＣＰＵ２０１は、コントローラ２００の内部で行われる各種処理についても統括的に制御する。ＲＡＭ２０３は、システムワークメモリであり、画像データなどを一時記憶するための画像メモリでもある。ＲＯＭ２０２はブートＲＯＭであり、システムのブートプログラムを格納する。ＨＤＤ２０４はハードディスクドライブであり、主にコンピュータを起動・動作させるために必要な情報（システムソフトウェア）や画像データを格納する。これらのデータは、ＨＤＤ２０４に限らず、電源が切れても記憶保持可能な記録媒体に格納されてもよい。
【００２０】
ＬＡＮＣ（ＬＡＮコントローラ）２０５は、ＬＡＮ１０に接続し、ユーザＰＣ２０との間で出力用画像データの入出力や機器制御にかかわる情報の入出力を行う。ローカルＩＦ（ローカルインタフェース）２０６は、ＵＳＢやセントロニクス等のインタフェースであり、ケーブル１１にてユーザＰＣ２１や他のプリンタと接続し、データの入出力を行う。ＭＯＤＥＭ２０７は、公衆回線１２に接続し、データの入出力を行う。プリンタＩＦ画像処理部２０８は、プリンタ１０２と接続し、プリンタ１０２に搭載されたＣＰＵと通信を行う。また、プリンタＩＦ画像処理部２０８は、画像データの同期系／非同期系の変換やプリント出力のための画像処理を行う。
【００２１】
スキャナＩＦ画像処理部２０９は、スキャナ１０１と接続し、スキャナ１０１に搭載されたＣＰＵと通信を行う。操作部ＩＦ２１０は、操作ユニット１０３に表示する画像データをコントローラ２００から操作ユニット１０３に出力するためのインタフェースである。操作部ＩＦ２１０はさらに、画像形成装置１００のユーザが操作ユニット１０３から入力した情報をコントローラ２００に取り込むためのインタフェースでもある。無線通信制御部２１１は、携帯端末３００と無線通信ができるように構成されている。その無線通信方式方法としてはＷｉ−ＦｉやＢｌｕｅｔｏｏｔｈ（登録商標）等が含まれる。
【００２２】
図３は、近距離無線通信機能を実装した携帯端末３００の構成を示すブロック図である。携帯端末３００は制御部３０５を有する。制御部３０５には、デジタル信号処理部３０３、表示部３０６、操作部３０７、外部Ｉ／Ｆ部３０８、及び近距離無線通信部３１０が接続される。制御部３０５は、携帯端末３００の機能を実現するための主要部であり、図示しないＣＰＵ、ＥＥＰＲＯＭ、Ｆｌａｓｈ、ＳＲＡＭ等で構成される。制御部３０５はさらに、近距離無線通信部３１０との間でコマンドやデータの授受を行うための近距離無線モジュール３１５を含む。
【００２３】
デジタル信号処理部３０３は、マイク３１３を接続した音声入力部３０１と、スピーカ３１４を接続した音声出力部３０２と、アンテナ３１６を接続したＲＦ（高周波）入出力部３０４とに接続される。また、デジタル信号処理部３０３は、デジタル音声信号のエンコード、及びデジタル音声信号へのデコード等を行う。音声入力部３０１は、マイク３１３からのアナログ音声信号をデジタル信号に変換する。音声出力部３０２は、スピーカ３１４を制御して、受信したデジタル音声信号を音声として出力させる。ＲＦ入出力部３０４は、高周波送受信を行う。
【００２４】
近距離無線通信部３１０は、制御部３０５の近距離無線モジュール３１５と接続され、アンテナ３１１を介して外部装置との間でデータ等の授受を行う。近距離無線モジュール３１５は、制御部３０５の一部として組み込まれたものであり、近距離無線としてＢｌｕｅｔｏｏｔｈ（登録商標）通信を用いる場合、コマンドのやり取りを行うことにより、通信機能を制御する。近距離無線モジュール３１５は、受信した信号の電波強度の測定を行う。
【００２５】
後述するように、制御部３０５は、近距離無線モジュール３１５によって測定した電波強度（ＲＳＳＩ：測定電波強度）と、通信相手から受信した出力電波強度（Ｐ）とに基づいて信号の伝搬損失（Ｌ）を計算する。そして制御部３０５は、通信相手との距離（ｄ）を算出（推定）する。表示部３０６は、ＬＣＤドライバ、ＬＣＤ表示デバイス等で構成され、ユーザに対して情報の表示出力を行う。操作部３０７は、ユーザインタフェースであり、ユーザが携帯端末３００に対して情報を入力するために使用される。電源部３０９は、バッテリ電源から各ブロックに必要な電力を供給する。
【００２６】
図４（ａ）〜（ｄ）は、ＳＥＮＤ機能を使用する際に操作ユニット１０３に表示される画面表示の例を示す遷移図である。ＳＥＮＤ機能は、スキャナ１０１から原稿を読み取り、読み取ったデータをメールアドレスに添付して送信する機能である。
【００２７】
図４（ａ）は、送信する宛先を指定する際の、操作ユニット１０３における宛先設定画面の表示例である。操作ユニット１０３には、宛先の選択のために、ＨＤＤ２０４に予め保存されたメールアドレスのデータベースから、送信するアドレスを選択する「アドレス帳」ボタンと、ユーザにアドレスの直接的な入力を促す「新規に入力」ボタンが表示される。本実施の形態ではこれらに加えて、近距離無線通信によってメールアドレスを取得するためのボタンの例として、「Ｂｌｕｅｔｏｏｔｈ（登録商標）でアドレス取得」ボタン４０１が表示される。ボタン４０１が押下されると、画面表示は図４（ｂ）に示す距離設定画面に遷移する。
【００２８】
距離設定画面（図４（ｂ））では、ユーザの選択によって距離を設定するためのボタンとして、「近くから取得」ボタン４０２と「遠くまで取得」ボタン４０３の２つが表示される。ボタン４０２またはボタン４０３の選択的押下によって、メールアドレスを取得する範囲を示す設定距離Ｄが設定される。ボタン４０２が押下されると、無線通信制御部２１１は、近く（設定距離Ｄの範囲内）に存在する携帯端末３００と通信を行い、その携帯端末３００からその携帯端末３００のメールアドレスを取得する。ボタン４０３が押下されると、無線通信制御部２１１は、通信できたすべての携帯端末３００からメールアドレスを取得する。
【００２９】
なお、ボタン４０３が押下された場合に、通信範囲内にいる携帯端末３００の数が多すぎる場合は、メールアドレスの取得数の上限を決め、上限以内の携帯端末３００のみからメールアドレスを取得するようにしてもよい。また、本実施の形態では、設定距離Ｄの設定のためのボタンを２つとしたが、３以上設けてもよい。あるいは、数値やメータ方式の「距離を指定」ボタンを別途設けて表示させ、設定距離Ｄに任意の値を設定できるようにユーザに入力を促すようにしてもよい。その際の距離の入力方法は「何ｍまで」という指定方法だけでなく「何ｍ〜何ｍまで」といった範囲を指定する方法でもよい。
【００３０】
図４（ｂ）に示す画面でボタン４０２またはボタン４０３が押下された後、メールアドレスが取得されると、図４（ｃ）に示すメールアドレスの一覧表示画面が表示される。取得されたメールアドレスはウインドウ４０４に表示される。設定距離Ｄの範囲内に存在する携帯端末３００の数は２以上の場合もあるので、取得され表示されるメールアドレスも複数となり得る。この一覧表示画面には受信終了ボタン４０５が表示され、受信終了ボタン４０５が押下されるまで、メールアドレスの取得処理は継続される。そしって、受信終了ボタン４０５が押下されると、図４（ｄ）に示すアドレス選択画面が表示される。このアドレス選択画面で、一覧表示されたメールアドレスの中から、ユーザは送信の宛先とするメールアドレスを選択する。ユーザが１つ以上のメールアドレスを選択し、所定のボタンを押下することで、メールアドレスの選択が確定される。
【００３１】
次に、図５〜図７で、画像形成装置１００と携帯端末３００との通信確立によるアドレス送受信からスキャンデータ送受信までの処理を説明する。図５〜図７の処理において、画像形成装置１００で実行される処理については、ＲＯＭ２０２のプログラムコードがＲＡＭ２０３に展開されコントローラ２００によって実行される。また、携帯端末３００で実行される処理については、制御部３０５によって実行される。
【００３２】
図５は、画像形成装置１００と携帯端末３００とにおいて並行して実行されるスキャンデータ送受信の処理を示すフローチャートである。ここで、ステップＳ５０１〜Ｓ５０７、Ｓ５１３〜Ｓ５１９はコントローラ２００によって実行される。ステップＳ５０８〜Ｓ５１４、Ｓ５２０は制御部３０５によって実行される。ただし、特にステップＳ５０９〜Ｓ５１４の処理は、例えば、携帯端末３００にインストールされたアプリケーションを制御部３０５が実行することで実現される。このアプリケーションは、携帯端末３００の出荷時にインストールされていてもよいし、事後的にダウンロード等で取得してインストールされてもよい。また、このアプリケーションが立ち上がっていない状態であっても、携帯端末３００は、ＯＳ等の機能によって検索要求を受信することが可能であり、検索要求を受信するとアプリケーションが自動的に立ち上がるものとする。
【００３３】
図５のステップＳ５０１で、コントローラ２００は、操作ユニット１０３に宛先設定画面（図４（ａ））を表示させ、「Ｂｌｕｅｔｏｏｔｈ（登録商標）でアドレス取得」ボタン４０１が押下されると、処理をステップＳ５０２に進める。ステップＳ５０２では、コントローラ２００は、操作ユニット１０３に距離設定画面（図４（ｂ））を表示させる。次に、コントローラ２００は、この距離設定画面にて、「近くから取得」ボタン４０２または「遠くまで取得」ボタン４０３のいずれが押下されたかを判別する（ステップＳ５０３）。
【００３４】
その判別の結果、「近くから取得」ボタン４０２が押下された場合は、コントローラ２００は、設定距離Ｄに、近距離に相当する値として例えば、「画像形成装置１００を中心に約２ｍ」のような値を設定する（ステップＳ５０４）。設定距離Ｄは、検索要求情報を構成する情報の１つである。一方、「遠くまで取得」ボタン４０３が押下された場合は、コントローラ２００は、設定距離Ｄに、遠距離に相当する値として例えば、「画像形成装置１００を中心に約１０ｍ」のような値を設定する（ステップＳ５０５）。なお、近距離に相当する値及び遠距離に相当する値は、予め定めた値であり、数値は例示である。特に遠距離に相当する値として設定される情報は、通信範囲内で距離制限なしを示す情報であってもよい。コントローラ２００は、本発明の設定手段に該当する。
【００３５】
ステップＳ５０４、Ｓ５０５の処理後は、コントローラ２００は、ステップＳ５０６で、無線通信制御部２１１によって通信範囲内への検索要求を開始する。なお検索要求は、上記した検索要求情報を発信することである。ここで、検索要求情報は前述した設定距離Ｄの情報だけでなく、発信する信号の出力電波強度Ｐの情報をも含んでいる。検索要求のための信号は、検索要求処理が終了するまで一定のタイミングで定期的に発信し続けられる。コントローラ２００は、本発明における発信手段に該当する。
【００３６】
ステップＳ５０７では、コントローラ２００は、無線通信制御部２１１により携帯端末３００のメールアドレス情報が受信されるのを待つ待機状態となる。
【００３７】
携帯端末３００において、ステップＳ５０８で、画像形成装置１００から発信された検索要求がアンテナ３１１から近距離無線通信部３１０により受信されると、受信した検索要求における検索要求情報は制御部３０５に送られる。そして、ステップＳ５０９で、制御部３０５は、近距離無線モジュール３１５により距離測定処理を実行する。この距離測定処理のフローは後述する。この距離測定処理では、携帯端末３００から画像形成装置１００までの測定距離ｄが算出されるが、その詳細については図６で後述する。
【００３８】
次に、ステップＳ５１０では、制御部３０５は、検索要求情報に含まれている設定距離Ｄの情報と、ステップＳ５０９において算出した測定距離ｄの情報とを確認する。次に、ステップＳ５１１で、制御部３０５は、「測定距離ｄが設定距離Ｄ以内である」または「設定距離Ｄが遠距離の値として設定されている」の少なくともいずれかの条件を満たすか否かを判別する。ここで、「設定距離Ｄが遠距離の値として設定されている」か否かは、設定距離Ｄが所定値（例えば、１０ｍ）以上であるかどうかによって判別される。通常、Ｂｌｕｅｔｏｏｔｈ（登録商標）による通信範囲は１０ｍ程度であるので、検索要求を受信できたということは、遠距離の値よりも短い距離にあると推定される。従って、設定距離Ｄが所定値である場合は、測定距離ｄとの大小比較を行う必要がない。
【００３９】
ステップＳ５１１の判別の結果、制御部３０５は、上記いずれかの条件を満たす場合は、処理をステップＳ５１２に進める一方、いずれの条件も満たさない場合は、処理をステップＳ５２０に進める。ステップＳ５１２では、制御部３０５は、画像形成装置１００と近距離無線通信を行うためのペアリングをするべく指示を近距離無線通信部３１０に送る。これにより、近距離無線通信部３１０はアンテナ３１１を介して画像形成装置１００にペアリング要求を出力する。なお、ここでいうペアリングとは、Ｂｌｕｅｔｏｏｔｈ（登録商標）に対応する通信機器間で接続処理を行うことをいう。
【００４０】
画像形成装置１００のコントローラ２００は、無線通信制御部２１１によって携帯端末３００からのペアリング要求を受信する。すると、ステップＳ５１３で、コントローラ２００は、ペアリング要求元の携帯端末３００とのペアリングを確立する。なお、Ｂｌｕｅｔｏｏｔｈ（登録商標）におけるペアリングにおいては、同時に複数台の携帯端末との接続が可能である。
【００４１】
ペアリングが確立すると、ステップＳ５１４で、携帯端末３００の制御部３０５は、近距離無線通信部３１０に自身のメールアドレス情報を送る。すると、近距離無線通信部３１０は画像形成装置１００に近距離無線モジュール３１５を用いてメールアドレス情報を送信する。
【００４２】
ステップＳ５１５では、画像形成装置１００のコントローラ２００は、無線通信制御部２１１によって携帯端末３００からメールアドレスを受信する。これによりコントローラ２００は、設定距離Ｄの範囲内に位置する携帯端末３００からアドレス情報であるメールアドレスを取得することができる。コントローラ２００は、本発明における取得手段に該当する。
【００４３】
ステップＳ５１６では、コントローラ２００は、受信したメールアドレスを操作ユニット１０３に一覧で表示させる（図４（ｃ））。ステップＳ５１７では、コントローラ２００は、操作ユニット１０３に表示されたメールアドレスの一覧表示画面（図４（ｃ））において、受信終了ボタン４０５が押下されたか否かを判別する。受信終了ボタン４０５が押下されない場合は、コントローラ２００は、処理をステップＳ５０７に戻す。従って、受信終了ボタン４０５が押下されるまで、新たにペアリングが確立した携帯端末３００から取得されるメールアドレスが一覧表示に追加されていく。そして受信終了ボタン４０５が押下されると、ステップＳ５１８で、コントローラ２００は、無線通信制御部２１１による検索要求の出力を終了する。
【００４４】
ステップＳ５１９では、コントローラ２００は、スキャンデータ送信処理を実行する。このスキャンデータ送信処理については図７で後述するが、ユーザによって選択されたメールアドレスを宛先として、スキャンした画像データが添付されて送信される。ステップＳ５２０では、制御部３０５は、ＲＦ入出力部３０４により、メールの添付データとしてスキャンデータを受信する。制御部３０５は、本発明における送信手段に該当する。その後、図７の処理が終了する。
【００４５】
図６は、携帯端末３００において図５のステップＳ５０９で実行される距離測定処理を示すフローチャートである。
【００４６】
ステップＳ６０１では、制御部３０５は、画像形成装置１００から近距離無線通信部３１０により電波として受信した検索要求の電波強度を測定する。測定した電波強度の値が測定電波強度ＲＳＳＩである。次に、ステップＳ６０２では、制御部３０５は、測定電波強度ＲＳＳＩと、検索要求情報に含まれる画像形成装置１００の出力電波強度の値（出力電波強度Ｐ）とから、数式１を用いて、受信した信号の伝搬損失Ｌを計算する。さらにステップＳ６０３で、制御部３０５は、数式２を用いて、伝搬損失Ｌから測定距離ｄを算出する。伝搬損失Ｌ及び測定距離ｄの算出は、実際には近距離無線モジュール３１５によってなされる。
[数１]
Ｌ＝Ｐ−ＲＳＳＩ
[数２]
ｄ＝（λ（√Ｌ））／（４Π）
【００４７】
ここで、伝搬損失の計算は一般的に、Ｌ＝（４Πｄ／λ）＾２という計算式で定義されているため、測定距離ｄはこの計算式を変換した数式２で求められる。λは周波数、Πは円周率である。なお、上記数式で算出される値は理想的な環境下においての計算値であり、使用環境によって測定距離ｄの値には誤差が発生し得る。従って、測定距離ｄは推定される距離である。ステップＳ６０３の処理後、図６の処理が終了する。図６において、制御部３０５は、本発明における測定手段、推定手段としての機能を果たす。
【００４８】
図７は、画像形成装置１００において図５のステップＳ５１９で実行されるスキャンデータ送信処理を示すフローチャートである。ステップＳ７０１では、コントローラ２００は、送信するアドレスの選択を操作ユニット１０３に表示されたアドレス選択画面（図４（ｄ））により受け付ける。ステップＳ７０２では、コントローラ２００は、ユーザにより原稿フィーダ１０５もしくは原稿台ガラス１１０に、送信すべき原稿が設置されたことをスキャナ１０１により検知されるのを待つ。そして、原稿設置が検知されると、コントローラ２００は、ステップＳ７０３で、操作ユニット１０３における送信スタートのボタンのユーザからの押下を受け付ける。
【００４９】
送信スタートのボタンの押下があると、ステップＳ７０４では、コントローラ２００は、スキャナ１０１に対して原稿読み取り指示を送る。これにより、スキャナ１０１は原稿フィーダ１０５もしくは原稿台ガラス１１０に設置された原稿からセンサによって原稿画像を読み取る。読み取りデータはコントローラ２００に取り込まれる。
【００５０】
ステップＳ７０５では、コントローラ２００は、取り込んだ読み取りデータに対し、スキャナＩＦ画像処理部２０９により、予め設定された画像フォーマットへの変換を行う。なお、この画像フォーマットは、ＰＤＦ、ＴＩＦＦ、ＪＰＥＧ等のファイル形式のことであり、操作ユニット１０３からの入力により指定可能である。
【００５１】
ステップＳ７０６では、コントローラ２００は、上記変換された読み取りデータを添付したｅメールを、ステップＳ７０１で選択されたメールアドレスを宛先として、スキャナＩＦ画像処理部２０９によってＬＡＮＣ２０５を介して送信する。その後、図７の処理が終了する。
【００５２】
図５〜図７の処理によれば、画像形成装置１００において、設定距離Ｄを設定して設定距離Ｄの情報と出力電波強度Ｐの情報とを含んだ検索要求を外部へ発信する。その検索要求を受信できた携帯端末３００は、検索要求の電波強度を測定し、測定電波強度ＲＳＳＩと出力電波強度Ｐとに基づいて測定距離ｄを推定する。そして、測定距離ｄが設定距離Ｄより短い場合に、携帯端末３００と画像形成装置１００との近距離無線通信の接続が確立され、携帯端末３００のメールアドレスが画像形成装置１００に送信される。
【００５３】
従って、ユーザとしては、例えば、自分のスマートフォンだけにスキャンデータを送信したい場合は、自分のスマートフォンを画像形成装置１００に近い位置に持って行き、距離設定画面（図４（ｂ））で「近くから取得」ボタン４０２を押下すればよい。また、部屋に居る複数のユーザのスマートフォンに同じスキャンデータを送信したい場合は、ユーザは、距離設定画面（図４（ｂ））で「遠くまで取得」ボタン４０３を押下する。そして、それにより取得される複数のメールアドレスから、実際に送信宛先としたいアドレスをアドレス選択画面（図４（ｄ））において選択すればよい。従って、通信範囲内に多くの携帯端末３００が存在する場合においても、所望の距離範囲にある携帯端末３００を、メールアドレスの取得対象として絞ることが可能となる。
【００５４】
よって、本実施の形態によれば、電波強度や感度を絞ることなく、また煩わしい操作を要することなく、所望距離の範囲にある端末装置の端末情報を取得することができる。
【００５５】
なお、本実施の形態では、ＳＥＮＤ機能を使用する際に端末情報を取得する例を示したが、端末情報を用いる目的を問わず、端末情報を取得する処理に本発明を適用可能である。
【００５６】
（第２の実施の形態）
第１の実施の形態では、距離測定処理（図６）を経てペアリングするかどうかの判断を携帯端末３００が行うとしたが、本発明の第２の実施の形態では、これらを画像形成装置１００が行うこととする。従って、第１の実施の形態に対し、図５に代えて図８を用いて本実施の形態を説明する。本実施の形態では、携帯端末３００は、出力電波強度の情報を含んだパケット情報を送信する機能を有する端末装置であることを前提とする。
【００５７】
図８は、画像形成装置１００と携帯端末３００とにおいて並行して実行されるスキャンデータ送受信の処理を示すフローチャートである。
【００５８】
ステップＳ８０１〜Ｓ８０３の処理は、図５のステップＳ５０１〜Ｓ５０３の処理と同様である。ステップＳ８０４では、コントローラ２００は、設定距離Ｄに、近距離に相当する値を設定し、この設定距離Ｄを記憶部（ＲＡＭ２０３もしくはＨＤＤ２０４）に記憶させる。ステップＳ８０５では、設定距離Ｄに、遠距離に相当する値を設定し、この設定距離Ｄを記憶部に記憶させる。なお、近距離に相当する値及び遠距離に相当する値は、第１の実施の形態と同様である。
【００５９】
ステップＳ８０６では、コントローラ２００は、近距離無線通信部３１０により携帯端末３００からのアドバタイジングパケットが受信されるのを待つ待機状態となる。
【００６０】
ステップＳ８０７では、携帯端末３００の制御部３０５は、近距離無線通信部３１０によりアドバタイジングパケットの送信を開始する。ここで、アドバタイジングパケットは、Ｂｌｕｅｔｏｏｔｈ（登録商標）通信において、送信する側の端末装置が自身の存在を周囲の端末知らせるために出力される情報である。アドバタイジングパケットには、出力電波強度Ｐ２やデバイスを識別するためのパラメータ（ＵＵＩＤ(Universally Unique Identifier)、ｍａｊｏｒ、ｍｉｎｏｒ）が含まれる。このＵＵＩＤが、携帯端末３００を特定する固有情報となる。例えば、ｉＰｈｏｎｅ（登録商標）が採用するＯＳ「ｉＯＳ（登録商標）」は、パケットを出力することが可能な構成であり、パケット出力を行うアプリケーションを常駐させる等の方法で、アドバタイジングパケットの送信を実現可能である。
【００６１】
ステップＳ８０８では、コントローラ２００は、無線通信制御部２１１により、アドバタイジングパケットを受信する。ステップＳ８０９で、コントローラ２００は、距離測定処理を実行する。この距離測定処理では、携帯端末３００から画像形成装置１００までの測定距離ｄが算出されるが、その詳細については図６を用いて後述する。ステップＳ８１０では、コントローラ２００は、上記記憶部に記憶された設定距離Ｄと、ステップＳ８０９において算出した測定距離ｄとを確認する。
【００６２】
ステップＳ８１１で、コントローラ２００は、「測定距離ｄが設定距離Ｄ以内である」または「設定距離Ｄが遠距離の値として設定されている」の少なくともいずれかの条件を満たすか否かを判別する。この判別の態様は図５のステップＳ５１１と同様である。ステップＳ８１１の判別の結果、コントローラ２００は、上記いずれかの条件を満たす場合は、処理をステップＳ８１２に進める一方、いずれの条件も満たさない場合は、処理をステップＳ８１９に進める。ステップＳ８１２では、コントローラ２００は、携帯端末３００と近距離無線通信を行うためのペアリングをするべく、無線通信制御部２１１によりペアリング要求を出力する。
【００６３】
ステップＳ８１３では、画像形成装置１００からのペアリング要求を受信した携帯端末３００の制御部３０５は、近距離無線通信部３１０により画像形成装置１００とのペアリングを確立する。ステップＳ８１４では、コントローラ２００は、無線通信制御部２１１により、ペアリングが確立した携帯端末３００に対してメールアドレス情報の取得を要求するための要求信号を出力する。ステップＳ８１５では、制御部３０５は、近距離無線通信部３１０により、画像形成装置１００からの要求信号を受信する。携帯端末３００が要求信号を受信すると、ステップＳ８１６で、制御部３０５は、近距離無線通信部３１０により、自身のメールアドレス情報を画像形成装置１００に対して送信する。ステップＳ８１７では、画像形成装置１００のコントローラ２００は、無線通信制御部２１１によって携帯端末３００からメールアドレスを受信する。これによりコントローラ２００は、設定距離Ｄの範囲内に位置する携帯端末３００からメールアドレスを取得することができる。
【００６４】
ステップＳ８１８〜Ｓ８２１の処理は、図５のステップＳ５１７〜Ｓ５２０の処理と同様である。
【００６５】
ステップＳ８０９で実行される距離測定処理については、処理の主体が第１の実施の形態とは異なるが、基本的処理の流れは図６に示すフローチャートと同様であるため、図６を参照して説明する。
【００６６】
ステップＳ６０１では、制御部３０５は、無線通信制御部２１１により携帯端末３００から受信したアドバタイジングパケット信号の電波強度を測定する。測定した電波強度の値が測定電波強度ＲＳＳＩである。次に、ステップＳ６０２では、コントローラ２００は、測定電波強度ＲＳＳＩと、アドバタイジングパケットに含まれる携帯端末３００の出力電波強度の値（出力電波強度Ｐ２）とから、数式１を用いて、受信した信号の伝搬損失Ｌを計算する。ここで、コントローラ２００は、数式１において出力電波強度Ｐを出力電波強度Ｐ２に置き換えて数式１を適用する。さらにステップＳ６０３で、コントローラ２００は、数式２を用いて、伝搬損失Ｌから測定距離ｄを算出する。なお、測定距離ｄの値には誤差が発生し得、測定距離ｄは推定される距離である点は第１の実施の形態と同様である。ステップＳ６０３の処理後、図６の処理が終了する。
【００６７】
本実施の形態によれば、画像形成装置１００において、携帯端末３００から受信したアドバタイジングパケット信号の測定電波強度ＲＳＳＩとアドバタイジングパケットに含まれる出力電波強度Ｐ２とから測定距離ｄが推定される。そして、画像形成装置１００で設定した設定距離Ｄより測定距離ｄが短い場合に、携帯端末３００と画像形成装置１００との近距離無線通信の接続が確立され、要求により、携帯端末３００のメールアドレスが画像形成装置１００に送信される。
【００６８】
よって、第１の実施の形態と同様に、電波強度や感度を絞ることなく、また煩わしい操作を要することなく、所望距離の範囲にある端末装置の端末情報を取得することができる。
【００６９】
（第３の実施の形態）
第２の実施の形態では、画像形成装置１００は、設定距離Ｄの範囲内にいる携帯端末３００とペアリングを確立し、その携帯端末３００に対して要求信号を出力することでメールアドレス情報を取得していた。これに対し、本発明の第３の実施の形態では、画像形成装置１００は、予め携帯端末のメールアドレスを固有情報に紐づけて定義したテーブルを保持し、アドバタイジングパケットに含まれる固有情報を用いてテーブルからメールアドレスを取得する。
【００７０】
従って、第２の実施の形態に対し、図８に代えて図９を用いると共に、さらに図１０を加えて本実施の形態を説明する。本実施の形態では、携帯端末３００は、端末を特定するための固有情報と出力電波強度の情報とを含んだパケット情報を送信する機能を有する端末装置であることを前提とする。
【００７１】
図９は、画像形成装置１００と携帯端末３００とにおいて並行して実行されるスキャンデータ送受信の処理を示すフローチャートである。図１０は、メールアドレスと固有情報とが対応付けられた登録テーブルの例を示す図である。
【００７２】
図１０に示す登録テーブル１０００（登録情報）は、各携帯端末３００の固有情報（例えば、ＵＵＩＤ）とその携帯端末３００のメールアドレスとを紐づけて定義したデータベースであり、例えば、ＨＤＤ２０４に格納される。この登録テーブル１０００は、予め、ユーザによる登録操作により生成され、ユーザによる登録作業が発生する度に更新される。この登録作業の方法は、携帯端末３００に関する情報を操作ユニット１０３にてユーザに手動入力させる方法でもよいし、携帯端末３００と画像形成装置１００とをペアリングしてアドレス情報を携帯端末３００から取得する方法でもよい。なお、登録テーブル１０００は、コントローラ２００がアクセスして参照可能なように保持されればよく、保存先はＨＤＤ２０４に限られず、ネットワーク上のサーバ等であってもよい。
【００７３】
図９のステップＳ９０２〜Ｓ９１１の処理は、図８のステップＳ８０１〜Ｓ８１０の処理と同様である。
【００７４】
ステップＳ９１２で、コントローラ２００は、「測定距離ｄが設定距離Ｄ以内である」または「設定距離Ｄが遠距離の値として設定されている」の少なくともいずれかの条件を満たすか否かを判別する。この判別の態様は図８のステップＳ８１１と同様である。ステップＳ９１２の判別の結果、コントローラ２００は、上記いずれかの条件を満たす場合は、処理をステップＳ９１３に進める一方、いずれの条件も満たさない場合は、処理をステップＳ９１５に進める。
【００７５】
ステップＳ９１３では、コントローラ２００は、携帯端末３００から受信したアドバタイジングパケットに含まれる固有情報（ＵＵＩＤ）を抽出し、ＨＤＤ２０４に保存されている登録テーブル１０００と照合する。コントローラ２００は、抽出した固有情報が登録テーブル１０００に存在する場合は、その固有情報に紐付けされているメールアドレスを登録テーブル１０００から取得する。ステップＳ９１４〜９１７の処理は、図８のステップＳ８１８〜Ｓ８２１の処理と同様である。
【００７６】
本実施の形態によれば、画像形成装置１００には、予め、携帯端末３００の固有情報とメールアドレスとを紐づけた登録テーブル１０００が保持される。画像形成装置１００において、携帯端末３００から受信したアドバタイジングパケット信号の測定電波強度ＲＳＳＩとアドバタイジングパケットに含まれる出力電波強度Ｐ２とから測定距離ｄが推定される。そして、画像形成装置１００で設定した設定距離Ｄより測定距離ｄが短い場合に、アドバタイジングパケットに含まれる固有情報に対応する端末情報が登録テーブル１０００から取得される。
【００７７】
よって、第２の実施の形態と同様に、電波強度や感度を絞ることなく、また煩わしい操作を要することなく、所望距離の範囲にある端末装置の端末情報を取得することができる。
【００７８】
なお、第１の実施の形態の図５のステップＳ５１１で、設定距離Ｄが所定値（例えば、１０ｍ）以上であれば、設定距離Ｄよりも測定距離ｄの方が短いと判断できるため、大小比較を行う必要はなかった。この点を考慮すれば、測定距離ｄの算出前に設定距離Ｄの値を確認し、設定距離Ｄが所定値以上である場合は、測定距離ｄの算出処理を省略して、一律にステップＳ５１２に処理を進めるようにしてもよい。これにより処理負担が軽減される。これは第２、第３の実施の形態（図８、図９）においても適用できる。
【００７９】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【００８０】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００８１】
１００  画像形成装置
２００  コントローラ
３００  携帯端末
３０５  制御部
Ｄ  設定距離
ｄ  測定距離
Ｐ、Ｐ２  出力電波強度
【図１】
2016052040.tif 000003
【図２】
2016052040.tif 000004
【図３】
2016052040.tif 000005
【図４】
2016052040.tif 000006
【図５】
2016052040.tif 000007
【図６】
2016052040.tif 000008
【図７】
2016052040.tif 000009
【図８】
2016052040.tif 000010
【図９】
2016052040.tif 000011
【図１０】
2016052040.tif 000012